(57)【特許請求の範囲】
【請求項１】
本体と、
前記本体に分離できるように設置される振動ユニットと、
前記振動ユニットの内部に設置され、超音波振動を発生する超音波発生部と
を含み、
前記振動ユニットは、前記超音波発生部の超音波振動を皮膚に伝達するために、筒状からなる突起を備えた皮膚接触部材と、
前記超音波発生部及び前記皮膚接触部材が挿入されるハウジングと、
前記超音波発生部及び前記皮膚接触部材が前記ハウジングから離脱を防止するように、前記ハウジングの開口に分離できるように結合された前方カバーと
を含み、
前記ハウジングは、前記本体の一側に形成される結合溝に分離できるように結合され、前記前方カバーは、前記筒状の突起が貫通する貫通孔が形成され、
前記超音波発生部は、中央に孔を形成したリング状からなる圧電素子及び前記圧電素子の一側面に密着されるように配置される発振器を備え、
前記圧電素子は電圧が加わると、圧電素子の外側及び前記孔の内側に伸縮変形され、超音波振動の強度を増加させ、
前記筒状の突起は、皮膚に接触する一端部に凹入する湾曲部を形成することを特徴とする皮膚美容装置。
【請求項２】
前記筒状の突起は、複数個で重畳形成されることを特徴とする請求項１に記載の皮膚美容装置。
【請求項３】
前記複数の筒状の突起は、中央から間隔を隔てて放射状に配置されることを特徴とする請求項２に記載の皮膚美容装置。
【請求項４】
前記複数の筒状の突起は、間隔を隔てて分散配置されることを特徴とする請求項２に記載の皮膚美容装置。
【請求項５】
前記筒状の突起は、円筒状、楕円状及び多角形状のうち、いずれか一つからなることを特徴とする請求項２ないし４のいずれか一項に記載の皮膚美容装置。
【請求項６】
前記筒状の突起は、金属材からなることを特徴とする請求項１に記載の皮膚美容装置。
【請求項７】
前記ハウジングは、弾性体からなることを特徴とする請求項１に記載の皮膚美容装置。
【発明の詳細な説明】
【技術分野】
【０００１】
本発明は、皮膚美容装置に関し、より詳細には、超音波振動により皮膚を刺激することにより、皮膚に内在する老廃物を外に排出させるだけでなく、血行を良くする皮膚美容装置に関する。
【背景技術】
【０００２】
近年は、超音波振動を用いて顔面肌をマッサージ及びクレンジングし、腹部の肥満等を改善できる皮膚マッサージ機が開発され使用されている。
【０００３】
上記皮膚マッサージ機は、超音波振動を皮膚に伝達することで皮膚を刺激し、皮膚に閉じ込められている老廃物を皮膚の外に排出させ、血行を良くすることを促す。このような皮膚マッサージ機は、通常、超音波振動を発生させる超音波発生部材を備え、この超音波発生部材から皮膚へと超音波振動を伝達するための振動伝達部材を備えている。例えば、韓国登録特許第８３０５３０号（以下、「従来技術１」という）及び韓国登録特許第１１２９３０８号（以下、「従来技術２」という）に従来の超音波振動を用いた皮膚マッサージ機が開示されている。
【０００４】
ところが、従来技術１においては、皮膚に接触する振動伝達部材が所定の厚さを保持する板状からなっている。よって、皮膚マッサージ機を使用する場合、振動部材の一辺が皮膚に接触した状態で使用する。このような使用方法によって、マッサージ施術者はマッサージ部位に現れる多様な屈曲に応じて振動伝達部材の皮膚接触角度をしょっちゅう変えなければならないという手間が必要だった。更に、振動伝達部材の形状が板状からなることで、単一超音波振動子を使用する場合、低い共振出力が生じる。
【０００５】
よって、板状の振動伝達部材を通じて、皮膚に閉じ込められている老廃物を皮膚の外に排出させる程度の共振出力を得ることができるようにするためには、複数の超音波振動子を振動伝達部材に付着して使用しなければならない。しかし、このように、複数の超音波振動子を備える場合、製品の単価上昇の要因となる。
【０００６】
なお、従来技術２は、超音波電動素子を有する温熱マッサージ装置として、以下のような作用を通じて皮膚マッサージを行う。すなわち、発熱素子によって胴体が温かくなると同時に、超音波電動素子が作動する状態で、胴体の端部面が皮膚に接するようになると、皮下組織が過熱及び振動するようになる。それにより、皮下脂肪や老廃物等は、硬くなっていた状態から粘度（ｖｉｓｃｏｓｉｔｙ）の落ちる軟らかい状態で転移するようになり、血管も膨張するようになるため、治療を受けている身体部位が膨張するようになる。よって、胴体の端部面に形成された浅い深さを有する溝部位を皮膚が埋めるようになる吸入効果が発揮され、皮膚の毛穴から老廃物の排出を促進させる。
【０００７】
ところが、上記従来技術２は、効果的な熱伝達のために、胴体の端部面が皮膚に直接接触して使用され、できる限り皮膚の広い部位に熱を伝達するために、胴体端部面は皮膚との接触面積をできる限り大きく保持するように、所定の面積を確保している。このように、従来技術２は、発熱素子と超音波電動素子とを備えて皮膚に熱と振動を同時に加え、このような作用（特に、加熱作用）によって膨張した皮膚は、胴体端面部の溝にサクション（ｓｕｃｔｉｏｎ）されて溝を埋めるようになる。すなわち、皮膚が胴体の端面部に密着され、更に溝にサクションされた皮膚の一部は溝の内周面と強く密着する。それにより、皮膚をマッサージする部位から排出される老廃物は、胴体の端部面及び溝の内周面によって詰まり、皮膚の外部に円滑に排出が行われないという問題があった。
【０００８】
更に、超音波電動素子によって振動する胴体の共振出力が上記従来技術１より低いため（図６を参照）、超音波振動を通じた皮膚マッサージ効果を期待することは難しい。
【発明の概要】
【発明が解決しようとする課題】
【０００９】
そこで、本発明は、上記問題に鑑みてなされたものであり、本発明の目的とするところは、超音波振動による共振出力を極大化すると同時に、皮膚に内在する老廃物が皮膚の外部に円滑に排出できるようにする皮膚美容装置を提供することにある。
【００１０】
本発明のもう一つの目的は、マッサージ部位に応じて変わる皮膚の多様な屈曲に対応して皮膚美容装置の角度に毎回変えなければならないという手間を省き、手軽に皮膚マッサージを行うことができる皮膚美容装置を提供することにある。
【課題を解決するための手段】
【００１１】
前記目的を解決するための本発明は、本体と、前記本体に分離できるように設置される振動ユニットと、前記振動ユニットの内部に設置され、超音波振動を発生する超音波発生部とを含み、前記振動ユニットは、皮膚に前記超音波発生部の超音波振動を皮膚に伝達するための筒状からなる突起を備えた皮膚接触部材と、前記超音波発生部及び前記皮膚接触部材が挿入されるハウジングと、前記超音波発生部及び前記皮膚接触部材が前記ハウジングから離脱を防止するように、前記ハウジングの開口に分離できるように結合された前方カバーとを含み、前記ハウジングは、前記本体の一側に形成される結合溝に分離できるように結合され、前記前方カバーは、前記筒状の突起が貫通する貫通孔が形成され、前記超音波発生部は、中央に孔を形成したリング状からなる圧電素子及び前記圧電素子の一側面に密着されるように配置される発振器を備え、前記圧電素子は電圧が加わると、圧電素子の外側及び前記孔の内側に伸縮変形され、超音波振動の強度を増加させ、前記筒状の突起は、皮膚に接触する一端部に凹入する湾曲部を形成することを特徴とする皮膚美容装置を提供する。
【００１２】
前記筒状の突起は、複数個で重畳形成されてよい。この場合、前記複数の筒状の突起は、中央から間隔を隔てて放射状に配置されたり、前記複数の筒状の突起は、間隔を隔てて分散配置されてよい。
【００１３】
前記筒状の突起は、円筒状、楕円状及び多角形状のうち、いずれか一つからなってよい。
【００１４】
なお、前記筒状の突起は、金属材からなってよい。
【００１６】
前記ハウジングは、超音波発生部による超音波振動が本体に伝達されることを最小化するように弾性体からなってよい。
【発明の効果】
【００１７】
以上説明したように本発明によれば、皮膚に接触する突起を筒状に形成することにより、超音波振動に対する共振出力を極大化すると同時に、皮膚から排出される老廃物の逃避空間を確保することで、皮膚に内在する老廃物の円滑な排出が行われるようにすることができる。
【００１８】
なお、本発明は、筒状の突起を複数個を形成する場合、放射状に重畳配置したり、分散配置したり、または、突起の端部を所定曲率で凹入するように湾曲形成し、皮膚マッサージ部位に応じて異なる多様な屈曲に対して皮膚美容装置を特定の角度で調節する手間なく、自然に皮膚マッサージ及びクレンジングを行うことができるというメリットがある。
【図面の簡単な説明】
【００１９】
【図１】本発明の一実施形態に係る皮膚美容装置を示す斜視図である。
【図２】本発明の一実施形態に係る皮膚美容装置の本体と振動ユニットの分解斜視図である。
【図３】本発明の一実施形態に係る皮膚美容装置の背面を示す斜視図である。
【図４】図２に示す振動ユニットを示す分解斜視図である。
【図５】振動部材の別の実施形態を示す斜視図である。
【図６】図５に示す振動ユニットの複数の筒状の突起と従来技術に係る皮膚美容装置との間の出力を比較したグラフである。
【図７】振動部材の多様な実施形態を示す斜視図である。
【図８】振動部材の多様な実施形態を示す斜視図である。
【図９】振動部材の多様な実施形態を示す斜視図である。
【図１０】振動部材の多様な実施形態を示す斜視図である。
【図１１】振動部材の多様な実施形態を示す斜視図である。
【発明を実施するための形態】
【００２０】
以下に添付図面を参照しながら、本発明の第１及び第２実施形態に係る皮膚美容装置について詳細に説明する。ただし、本発明を説明していくうえで、本発明に関連する公知技術に対する具体的な説明が、本発明の要旨を不要に曖昧にするおそれがあると判断される場合には、その詳細な説明を省略する。
【００２１】
図１ないし図４を参照すると、本発明の一実施形態に係る皮膚美容装置は、本体１０と、振動ユニット３０及び超音波発生部５０を含む。
【００２２】
本体１０は、内側に外部電源の供給を受けてそれをコンバーティングし、超音波発生部を制御する回路部（図示せず）が設置され、一側には外部電源を内部のＰＣＢに供給するための電源端子１７が設置される。この場合、端子は、ＵＳＢ端子からなってよく、このＵＳＢ端子を通じてコンピュータから手軽に電源を供給されることができる。
【００２３】
前記本体１０は、大きく、ヘッド部１１と把持部１３とに分けられる。ヘッド部１１は、一側に振動ユニット３０が分離できるように結合される結合溝１２が形成される。結合溝１２の床面には前記回路部から引き出される接続端子１６ａ、１６ｂが露出する一対の貫通孔が形成される。なお、ヘッド部１１は、振動ユニット３０が設置された側の反対側には、作動ボタン１５が設置される。作動ボタン１５は、超音波発生部３０をオン（ｏｎ）／オフ（ｏｆｆ）するための電源ボタンに該当する。
【００２４】
把持部１３は、ユーザが手で握ることができるように、ヘッド部１１の一側に所定の長さで伸長形成される。
【００２５】
振動ユニット３０は、ハウジング３１と、前方カバー３３と、皮膚接触部材３５及び超音波発生部５０を含む。
【００２６】
ハウジング３１は、ヘッド部１１の結合溝１２に圧迫結合できる外径を有し、内側には皮膚接触部材３５及び超音波発生部５０を含むことができる空間が形成される。このようなハウジング３１は、超音波発生部５０による超音波振動がヘッド部１１に伝達されることを最大限に抑えるように、所定の弾力を保持する合成樹脂材または弾性体からなることが望ましい。
【００２７】
なお、ハウジング３１の後面には、後述するオシレータ５１の一対の接続端子５１ａ、５１ｂがそれぞれ挿入される一対の貫通孔Ｈ１、Ｈ２が形成される。それにより、ハウジング３１の後面がヘッド部１１の結合溝１２の床面に密着するまで、振動ユニット３０の結合溝１２に挿入すると、オシレータ５１の一対の接続端子５１ａ、５１ｂは回路部の接続端子１６ａ、１６ｂと相互電気的に接続される。
【００２８】
前方カバー３３は、ハウジング３１の一側開口に分離できるように結合され、ハウジング３１の内部に挿入される皮膚接触部材３５及び超音波発生部５０がハウジング３１から離脱することを防止する。前記前方カバー３３は、皮膚接触部材３５の突起３５ａが貫通する貫通孔３３ａを形成する。
【００２９】
皮膚接触部材３５は、金属材からなり、突起３５ａと超音波発生部５０のオシレータ５１が密着する密着部３５ｂとを備える。
【００３０】
突起３５ａは、筒状（例えば、円筒状）から構成され、密着部３５ｂの内側面から所定の高さで突出形成される。前記突起３５ａの一端部は、皮膚に接触して超音波振動を伝達する役割を担う。
【００３１】
このような突起３５ａは、筒状からなることで所定の高さを保持する。このような突起３５ａの高さは、突起３５ａの一端部が皮膚に接触した状態で、所定の圧力で皮膚に加圧する場合、突起３５ａの内側に位置する皮膚が密着部３５ｂの内側面に触れない程度の大きさであれば十分である。それは、皮膚に内在する老廃物の毛穴を通じて皮膚の外側に排出される際、密着部３５ｂの内側面によって毛穴が塞がれないように所定の空間部Ｓを置くようにするためである。それにより、皮膚に内在する老廃物は超音波振動によって皮膚の毛穴を通じて自然に排出することができる。このように、突起３５ａを筒状で形成することで、皮膚との接触部分は最小化し、皮膚との非接触部分は最大化して、皮膚に内在する老廃物が皮膚に触れる突起３５ａの下端によって埋まり、皮膚から排出できない領域を最小化することができる。
【００３２】
更に、筒状からなる突起３５ａは、超音波振動が伝わる際、優秀な共振特性を表すため、単一超音波発生部５０を備えるとしても、超音波振動を通じて効果的に皮膚マッサージを行うことができる。共振出力に対する本発明と従来技術１及び２との比較は、下記において、図６を参照して説明する。
【００３３】
密着部３５ｂは、突起３５ａと一体型で形成され、その他側面はオシレータ５１の一面と相互密着できるように平面からなる。密着部は、超音波発生部５０から発生する振動を突起３５ａに伝達する。
【００３４】
超音波発生部５０は、オシレータ５１及び圧電素子５３を含む。オシレータ５１は、接続素子５１ａ、５１ｂを介して電源を受けて発振する。圧電素子５３は、オシレータ５１の他側面に密着される。
【００３５】
前記圧電素子５３は、中央に孔５３ａを形成したリング状からなることで、電圧が加わると、圧電素子５３の外側及び前記孔５３ａの内側にも伸縮変形されるため、超音波振動の強度を増加させることができる。
【００３６】
以上のように構成された本発明の一実施形態に係る皮膚美容装置は、皮膚に接触する突起３５ａを筒状に形成することで、超音波振動に対する共振出力を極大化すると同時に、皮膚から排出される老廃物が逃避することができる空間部Ｓを確保することで、皮膚に内在する老廃物が円滑に皮膚の外側に排出することができる。
【００３７】
以下では、前記突起３５ａが単なる単一円筒ではない多様な模様を有する単一または複数の筒状の突起の例を、図５ないし図１１を参照して説明する。更に、図５ないし図１１に示す振動ユニット１３０〜６３０は突起の形状を除き、上述の振動ユニット３０と同様の構成を有する。
【００３８】
図５を参照すると、振動ユニット１３０は、重畳配置された複数の円筒状の突起１３５ａ〜１３５ｄを備える。複数の突起１３５ａ〜１３５ｄは、中央に形成された突起１３５ａから順次に包み込むように所定間隔を隔てて次第に直径の大きい突起１３５ｂ〜１３５ｄが配置される。
【００３９】
この場合、突起１３５ａ〜１３５ｄの間及び最内側に位置する突起１３５ａの内部にはそれぞれ空間部Ｓが形成される。この空間部Ｓは、皮膚をマッサージする際、超音波振動によって皮膚の外側に排出される老廃物の逃避空間に提供される。それにより、皮膚老廃物は自然と毛穴を通じて外部に排出されてよい。
【００４０】
なお、複数の円筒状の突起１３５ａ〜１３５ｄは、放射状に配置されているため、マッサージ部位に応じて異なる多様な屈曲に対して皮膚マッサージ装置を特定の角度に調節しなければならないという手間を省くことができる。
【００４１】
図６は、本発明の薄い厚さからなる筒状の重畳された複数の突起１３５ａ〜１３５ｄと、上述の従来技術１に対応するプレート状の振動部材（比較例１）及び従来技術２に対応する円板状の振動部材（比較例２）に対する各出力を比較したグラフである。このグラフにおいては、比較例１及び２と本発明の複数の突起１３５ａ〜１３５ｄにそれぞれ同一の条件（６０Ｖ、３００ｍＡ）のエネルギーを付加したときに生じる共振出力を示している。
【００４２】
本発明の場合、複数の突起に対して中央を基準に半分に対する出力グラフを示すものとして、最高出力が５（ＶＡ、Ｗ）に近い一方で、従来技術１及び２は、それぞれ２．５（ＶＡ、Ｗ）及び３．５（ＶＡ、Ｗ）の出力となっている。更に、本発明は、突起１３５ａ〜１３５ｄが複数個からなっているため、従来技術１及び２と違って、多様な共振周波数帯域から出力があった。それにより、本発明は、従来技術１及び２に比べて、同一のエネルギー（超音波振動）を入力する場合、顕著に大きい共振出力を得ることができる。
【００４３】
図７を参照すると、振動ユニット２３０の複数の突起２３５ａ、２３５ｂのいずれか一方２３５ａが中央に配置され、その突起２３５ａを中心に複数の突起２３５ｂが略円周方向に沿って分散配置される。この場合にも、複数の突起２３５ａ、２３５ｂは、各突起２３５ａ、２３５ｂ間に所定の空間部を形成するように離隔配置されるため、超音波振動によって皮膚に内在する老廃物がこのような空間部によって自然と皮膚の外側に排出されることができる。
【００４４】
図８を参照すると、振動ユニット３３０の複数の突起３３５ａ、３３５ｂは、略楕円状からなり、内外に重畳配置される。この場合、各突起３３５ａ、３３５ｂは、皮膚と接触する一端部Ｒ１、Ｒ２が大方所定の曲率を保持するように湾曲形成される。この場合、複数の突起３３５ａ、３３５ｂは、皮膚に曲率に応じて密着させた状態でマッサージを行うことができる。
【００４５】
図９を参照すると、振動ユニット４３０は、略長空状からなる単一突起４３５ａを有し、長手方向の一端部Ｒ３が所定の曲率で凹入するように、湾曲形成される。
【００４６】
図１０を参照すると、振動ユニット５３０の複数の突起５３５ａ、５３５ｂは略四角形状からなり、内外に重畳配置される。図１１を参照すると、振動ユニット６３０の複数の突起６３５ａ、６３５ｂは略６角形状からなり、内外に重畳配置される。
【００４７】
このように、本発明は多様な形状からなる筒状の突起を単一または複数個形成し、皮膚マッサージ部位に応じて異なる多様な屈曲に対して皮膚マッサージ装置を特定の角度に調節する手間を省き、自然に皮膚マッサージ及びクレンジングを行うことができる。
【００４８】
以上、添付図面を参照しながら本発明の好適な実施形態について詳細に説明したが、本発明は以上の実施形態に限定されない。本発明の属する技術の分野における通常の知識を有する者であれば、特許請求の範囲に記載された技術的趣旨の範疇内において、各種の変更例または修正例に想到し得ることは明らかであり、これらについても、当然に本発明の技術的範囲に属するものと了解される。
【産業上の利用可能性】
【００４９】
本発明は、超音波振動を通じて皮膚を刺激してマッサージを行う皮膚美容装置に関する。
【図１】
0005766355.tif 000002
【図２】
0005766355.tif 000003
【図３】
0005766355.tif 000004
【図４】
0005766355.tif 000005
【図５】
0005766355.tif 000006
【図６】
0005766355.tif 000007
【図７】
0005766355.tif 000008
【図８】
0005766355.tif 000009
【図９】
0005766355.tif 000010
【図１０】
0005766355.tif 000011
【図１１】
0005766355.tif 000012